(57)【要約】【課題】木材で形成される箱体であって、透かし状の透光部を繊細な表現の細かで且つ広い面積に及ぶ模様にすることができ、ランプシェードとして好適に用いることができる発光装置が内包される箱体を提供する。【解決手段】矩形の箱状本体１０と蓋体２０を備えて、蓋体２０には、箱状本体１０の四つの内側面で形成される矩形内側縁１１に嵌るように、矩形の枠状に形成された矩形嵌合部２２が設けられ、箱状本体１０の開いた一面を覆う面に透かし状に設けられた模様透光部２１と、該模様透光部２１を裏打ちするように配される透光性シート４０と、該透光性シート４０を支持する透明板５０と、矩形嵌合部２２を形成するように矩形の枠状に形成され、透明板５０及び透光性シート４０が固定されるように、蓋体２０の側の矩形内側縁に摺り合せ状態で嵌められて固定される矩形枠体３０とを備える。【選択図】図１
2022003611.tif 000002
【特許請求の範囲】
【請求項１】
木材で形成され、直方体の六面のうち一面が開いた矩形の箱状に形成された箱状本体と、該箱状本体の開いた一面を覆うように矩形に形成された蓋体とを備え、発光装置を収納でき、前記蓋体には、前記箱状本体の四つの内側面で形成される矩形内側縁に嵌るように、矩形の枠状に形成された矩形嵌合部が設けられている発光装置が内包される箱体であって、
前記蓋体は、
前記箱状本体の開いた一面を覆う面に模様形状が透かし状に設けられた模様透光部と、
該模様透光部を裏打ちするように内側に配されるシート状の部材であって透光性を有する透光性シートと、
該透光性シートを内側から支持するように配される透明板と、
前記矩形嵌合部を形成するように矩形の枠状に形成され、矩形の枠縁が前記透明板の縁部に当接して該透明板及び前記透光性シートが固定されるように、前記蓋体の側の四つの内側面で形成される矩形内側面に摺り合せ状態で嵌められて固定される矩形枠体とを備えることを特徴とする発光装置が内包される箱体。
【請求項２】
前記箱状本体の内部に配されて収納される収容物が該箱状本体内で動かないように保持するために配される収容物保持部材に、前記収容物が取り出された後に、前記発光装置が保持されるように、発光装置用の保持部が設けられていることを特徴とする請求項１記載の発光装置が内包される箱体。
【請求項３】
前記模様透光部はレーザー式の木材加工装置によって形成されていることを特徴とする請求項１又は２記載の発光装置が内包される箱体。
【発明の詳細な説明】
【技術分野】
【０００１】
この発明は、木材で形成され、直方体の六面のうち一面が開いた矩形の箱状に形成された箱状本体と、該箱状本体の開いた一面を覆うように矩形に形成された蓋体とを備え、発光装置を収納でき、前記蓋体には、前記箱状本体の四つの内側面で形成される矩形内側縁に嵌るように、矩形の枠状に形成された矩形嵌合部が設けられている発光装置が内包される箱体に関する。
【背景技術】
【０００２】
木材で形成されて装飾が施された直方体の箱体としては、従来、桐製品の表面適位置に輪郭線を彫りこんだ形象物を刻設し、布や皮革等の柔らかい素材を形象物に嵌め込むことを特徴とした桐製品の立体的装飾方法（特許文献１参照）が提案されている。
【０００３】
また、上記の特許文献１の図１にも示されているように、桐板材に単純な貫通孔形状の光が通る透かし（透光部）を設けて装飾や例えばテッシュの取り出し口などとすることも容易に行うことができる。但し、木材の中で、特に桐材は柔らかく、強度がないため、細かな模様を広い範囲に大胆に透かし彫り状に形成することは、従来の方法では難しく、高価なものになる。また、そのような細かで大胆な模様を透かし状に形成できたとしても、強度がないため、簡単に損傷する可能性が高いという問題も残っている。
【先行技術文献】
【特許文献】
【０００４】
【特許文献１】特開昭５８−９１０００号公報（特許請求の範囲、図１）
【発明の概要】
【発明が解決しようとする課題】
【０００５】
発光装置が内包される箱体に関して解決しようとする問題点は、木材で形成される箱体であって、透かし状の模様を設けてランプシェードとして用いることができるものの場合、強度の問題から、その透かし状の模様を、繊細な表現の細かで且つ広い面積に及ぶ模様とすることができない点にある。
そこで本発明の目的は、木材で形成される箱体であって、透かし状の透光部を繊細な表現の細かで且つ広い面積に及ぶ模様にすることができ、ランプシェードとして好適に用いることができる発光装置が内包される箱体を提供することにある。
【課題を解決するための手段】
【０００６】
本発明は、上記目的を達成するために次の構成を備える。
本発明にかかる発光装置が内包される箱体の一形態によれば、木材で形成され、直方体の六面のうち一面が開いた矩形の箱状に形成された箱状本体と、該箱状本体の開いた一面を覆うように矩形に形成された蓋体とを備えて、発光装置を収納でき、前記蓋体には、前記箱状本体の四つの内側面で形成される矩形内側縁に嵌るように、矩形の枠状に形成された矩形嵌合部が設けられている発光装置が内包される箱体であって、前記蓋体は、前記箱状本体の開いた一面を覆う面に模様形状が透かし状に設けられた模様透光部と、該模様透光部を裏打ちするように内側に配されるシート状の部材であって透光性を有する透光性シートと、該透光性シートを内側から支持するように配される透明板と、前記矩形嵌合部を形成するように矩形の枠状に形成され、矩形の枠縁が前記透明板の縁部に当接して該透明板及び前記透光性シートが固定されるように、前記蓋体の側の矩形内側縁に摺り合せ状態で嵌められて固定される矩形枠体とを備える。
【０００７】
また、本発明にかかる発光装置が内包される箱体の一形態によれば、前記箱状本体の内部に配されて収納される収容物が該箱状本体内で動かないように保持するために配される収容物保持部材に、前記収容物が取り出された後に、前記発光装置が保持されるように、発光装置用の保持部が設けられていることを特徴とすることができる。
【０００８】
また、本発明にかかる発光装置が内包される箱体の一形態によれば、前記模様透光部はレーザー式の木材加工装置によって形成されていることを特徴とすることができる。
【発明の効果】
【０００９】
本発明にかかる発光装置が内包される箱体によれば、木材で形成される箱体であって、透かし状の透光部を繊細な表現の細かで且つ広い面積に及ぶ模様にすることができ、ランプシェードとして好適に用いることができるという特別有利な効果を奏する。
【図面の簡単な説明】
【００１０】
【図１】本発明にかかる発光装置が内包される箱体の形態例を示す横断面図である。
【図２】本発明にかかる発光装置が内包される箱体の形態例を示す蓋体を外した状態であって収容物が納められた状態の横断面図である。
【図３】本発明にかかる発光装置が内包される箱体の形態例を示す蓋体を外した状態であって発光装置が納められた状態の横断面図である。
【図４】本発明にかかる発光装置が内包される箱体の形態例を示す正面図である。
【図５】本発明にかかる発光装置が内包される箱体の形態例を示す側面図である。
【図６】本発明にかかる発光装置が内包される箱体の形態例を示す蓋体を外した状態であって内部を透視した側面透視図である。
【図７】本発明にかかる発光装置が内包される箱体の形態例を示す収容物が納められた状態であって内部を透視した側面透視図である。
【図８】本発明にかかる発光装置が内包される箱体の形態例を示す発光装置が納められた状態であって内部を透視した側面透視図である。
【図９】本発明にかかる箱状本体内に配されて収容物を保持するように設けられた収容物保持部材の形態例を示す平面図である。
【図１０】本発明にかかる箱状本体内に配された状態の厚紙で形成された収容物保持部材あって、収容物を保持するように設けられた収容物用の保持部で、該収容物を保持するように用いた形態例を示す平面図である。
【図１１】本発明にかかる箱状本体内に配された状態の厚紙で形成された収容物保持部材あって、発光装置を保持するように設けられた発光装置用の保持部で、発光装置を保持するように用いた形態例を示す平面図である。
【発明を実施するための形態】
【００１１】
以下、本発明にかかる発光装置が内包される箱体の形態例を添付図面（図１〜１１）に基づいて詳細に説明する。
【００１２】
本発明にかかる発光装置が内包される箱体は、基本形態として、木材（本形態例では桐材）で形成され、直方体の六面のうち一面が開いた矩形の箱状に形成された箱状本体１０と、その箱状本体１０の開いた一面を覆うように矩形に形成された蓋体２０とを備えて、発光装置７０を収納でき、蓋体２０には、箱状本体１０の四つの内側面で形成される矩形内側縁１１に嵌る（内嵌する）ように、矩形の枠状に形成された矩形嵌合部２２が設けられている。
【００１３】
本発明にかかる蓋体２０は、図４に示すように、箱状本体１０の開いた一面を覆う面に模様形状が透かし状に設けられた模様透光部２１を備えている。本形態例では、模様透光部２１はレーザー式の木材加工装置によって形成されている。このレーザー式の加工技術によれば、微細な模様を透かし彫り状に精密に切り抜くことができ、人手による作業に比較して、極めて繊細な表現で且つ広い面積に及ぶ透かし模様（模様透光部２１）を安価に製作することができる。
【００１４】
また、本発明にかかる蓋体２０では、模様透光部２１を裏打ちするように内側に配されるシート状の部材であって透光性を有する透光性シート４０と、その透光性シート４０を内側から支持するように配される透明板５０とを備えている。
【００１５】
透光性シート４０としては、和紙、パラフィン紙などを用いることができ、様々な風合いや彩色があるものを用いることができる。これによれば、図１に示すように光源（発光装置７０）からの光を透過させて、光による空間の多様な演出を行うことができる。
【００１６】
また、透明板５０としては、アクリル板などの樹脂板やガラス板を用いることができ、色付きのものを用いてもよい。この透明板５０によれば、透かし彫り状に設けられた模様透光部２１が損傷しないようにバックアップし、蓋体２０としての強度を保持することができる。
【００１７】
そして、本発明にかかる蓋体２０では、矩形嵌合部２２を形成するように矩形の枠状に形成され、矩形の枠縁３１が透明板の縁部５１に当接してその透明板５０及び透光性シート４０が固定されるように、蓋体２０の側の四つの内側面で形成される矩形内側面２３に摺り合せ状態で嵌められて固定される矩形枠体３０を備えている。なお、この矩形枠体３０は、内嵌めすることだけで圧入状態に矩形内側面２３に固定できる場合もあるが、本形態例では接着剤を用いてより確実に固定されている。
【００１８】
この本発明にかかる発光装置が内包される箱体によれば、木材で形成される箱体であって、透かし状の透光部（模様透光部２１）を繊細且つ大胆な模様にすることができると共に強度を保持でき、ランプシェードとして好適に用いることができるという特別有利な効果を奏する。
【００１９】
また、本形態例によれば、箱状本体１０の内部に配されて収納される収容物６０（内容物）がその箱状本体１０内で動かないように保持するために配される収容物保持部材８０に、収容物６０が取り出された後に、発光装置７０が保持されるように、発光装置用の保持部８２が設けられている。
【００２０】
本形態例の収容物保持部材８０は、厚紙で形成されており、例えば図９〜１１に示すように、切り込み（実線）や折り込み（点線）が設けられ、箱の大きさに合わせて箱内に固定され、収容物６０の例である瓶（内容物）を収納物用の保持部８１によって保持できると共に、発光装置用の保持部８２によって発光装置７０が保持される構造になっている。また、本形態例では、収容物保持部材８０の上から、サテン等の布９０が被されてカバーされることで、切り込み（実線）や折り込み（点線）が隠され、より綺麗に収納できる形態になっている。
【００２１】
なお、本形態例のような内容物として瓶が収納される場合では、基本的に縦長に立てた状態に置かれ、発光装置７０から発した光が模様透光部２１を透過して光が美しく見えるように、発光装置７０を、収容物保持部材８０に形成された切り込みと切り込みとの間に設けられた発光装置用の保持部８２（図１１参照）に嵌め込むことよって、適切な位置に落ちないように保持することができる。
【００２２】
また、発光装置７０としては、ＬＥＤランプを用いれば小さな消費電力で済み、電力源として電池を用いることができる。さらに、長時間発光させるためには、電力源として商業電力を利用できるように、電線コードを接続した形態としても良いのは勿論である。
【００２３】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２４】
１０  箱状本体
１１  矩形内側縁
２０  蓋体
２１  模様透光部
２２  矩形嵌合部
２３  矩形内側面
３０  矩形枠体
３１  矩形の枠縁
４０  透光性シート
５０  透明板
５１  透明板の縁部
６０  収容物
７０  発光装置
８０  収容物保持部材
８１  収納物用の保持部
８２  発光装置用の保持部
９０  布部材（サテン）
【図１】
2022003611.tif 000003
【図２】
2022003611.tif 000004
【図３】
2022003611.tif 000005
【図４】
2022003611.tif 000006
【図５】
2022003611.tif 000007
【図６】
2022003611.tif 000008
【図７】
2022003611.tif 000009
【図８】
2022003611.tif 000010
【図９】
2022003611.tif 000011
【図１０】
2022003611.tif 000012
【図１１】
2022003611.tif 000013